(57)【要約】  第１の表示モジュール（１０）と第２の表示モジュール（２０）とを含む電子装置（１００）であって、第１の表示モジュール（１０）は、第１の表示面（１１）を含み、第２の表示モジュール（２０）は、第２の表示面（２１）を含み、第１の表示面（１１）及び第２の表示面（２１）は、電子装置（１００）の同一側に向かっており、第２の表示モジュール（２０）は、第１の表示モジュール（１０）に積み重ねられ、且つスライド可能に接続され、第２の表示モジュール（２０）と第１の表示モジュール（１０）との重なり合いの度合いを調節することにより、第１の表示面（１１）と第２の表示面（２１）とによって形成された電子装置（１００）の表示面（１１１）の面積を調節することができる。電子装置（１００）の表示領域のサイズは、調節可能であり、これにより、具体的な要望に応じて電子装置（１００）の表示領域のサイズを調節することができ、異なる情報表示の要望が満たされ、ユーザの体験が向上する。  【選択図】図２
2019530018.tif 000002
【特許請求の範囲】
【請求項１】
第１の表示面を含む第１の表示モジュールと、
第２の表示面を含む第２の表示モジュールと、を含む電子装置であって、
前記第１の表示面及び前記第２の表示面は、前記電子装置の同一側に向かっており、前記第２の表示モジュールは、前記第１の表示モジュールに積み重ねられ、且つスライド可能に接続され、前記電子装置は、前記第２の表示モジュールと前記第１の表示モジュールとの重なり合いの度合いを調節することにより、前記第１の表示面と前記第２の表示面とによって形成された前記電子装置の表示面の面積を調節する、
ことを特徴とする電子装置。
【請求項２】
前記第１の表示モジュールは、スライド溝を含み、前記第２の表示モジュールは、スライドレールを含み、前記スライドレールは、前記重なり合いの度合いを調節するように前記スライド溝内にスライド可能に配置される、
ことを特徴とする請求項１に記載の電子装置。
【請求項３】
前記第１の表示モジュールは、第１のカバーボディを含み、前記第１の表示面は、前記第１のカバーボディに設けられ、前記スライド溝は、前記第１のカバーボディの底面の両側に設けられ、前記第１のカバーボディの底面は、前記第１の表示面と反対側にあり、
前記第２の表示モジュールは、第２のカバーボディを含み、前記第２の表示面は、前記第２のカバーボディの頂面に設けられ、前記スライドレールは、前記第２のカバーボディの頂面の両側に設けられ、前記スライドレールは、前記第２の表示面と間隔をあけて設けられる、
ことを特徴とする請求項２に記載の電子装置。
【請求項４】
前記第１の表示モジュールは、第１のディスプレイスクリーンを含み、前記第１のカバーボディの頂面に第１の凹溝が設けられ、前記第１のディスプレイスクリーンは、前記第１の凹溝に収納され、前記第１のディスプレイスクリーンは、前記第１の表示面を含み、
前記第２の表示モジュールは、第２のディスプレイスクリーンを含み、前記第２のカバーボディの頂面に第２の凹溝が設けられ、前記第２のディスプレイスクリーンが第２の凹溝に収納され、前記第２のディスプレイスクリーンは、前記第２の表示面を含む、
ことを特徴とする請求項３に記載の電子装置。
【請求項５】
前記電子装置は、前記第１の表示モジュールと前記第２の表示モジュールとに電気的に接続されるフレキシブル回路基板を含む、
ことを特徴とする請求項1に記載の電子装置。
【請求項６】
前記第２のカバーボディには取り付け領域が形成され、前記取り付け領域は、前記第２の凹溝の一側に設けられ、前記スライドレールは、前記取り付け領域に設けられる、
ことを特徴とする請求項４に記載の電子装置。
【請求項７】
前記第１の表示モジュールは、フレキシブル表示モジュールであり、且つ円弧湾曲状となっており、前記第２の表示モジュールは、フレキシブル表示モジュールであり、且つ円弧湾曲状となっており、
前記第１の表示モジュールの湾曲方向は、前記第２の表示モジュールの湾曲方向と同じである、
ことを特徴とする請求項１に記載の電子装置。
【請求項８】
前記第１の表示モジュールの湾曲曲率は、前記第２の表示モジュールの湾曲曲率と同じである、
ことを特徴とする請求項７に記載の電子装置。
【請求項９】
前記第２の表示モジュールは、前記重なり合いの度合いを調節するように、前記第１の表示モジュールに対して第１の位置と第２の位置との間でスライド可能であり、前記第２の表示モジュールが前記第１の位置にある時の、前記第１の表示面と前記第２の表示面とによって形成された前記電子装置の表示面の面積は、前記第２の表示モジュールが前記第２の位置にある時の、前記第１の表示面と前記第２の表示面とによって形成された前記電子装置の表示面の面積より小さい、
ことを特徴とする請求項７に記載の電子装置。
【請求項１０】
前記第１の表示面の表示面積は、前記第２の表示面の表示面積より大きい、
ことを特徴とする請求項１に記載の電子装置。
【請求項１１】
前記電子装置は、
前記第２の表示モジュールと前記第１の表示モジュールとの重なり合いの度合いを検出するためのセンサと、
前記重なり合いの度合いに基づいて、前記第２の表示面と前記第１の表示面とによって形成された前記電子装置の表示面の表示コンテンツを制御するためのコントローラと、を含む、
ことを特徴とする請求項１に記載の電子装置。
【請求項１２】
前記電子装置は、第３の表示面を含む第３の表示モジュールを含み、
前記第３の表示モジュールは、前記第１の表示モジュールと前記第２の表示モジュールとの間に積み重ねられ、且つスライド可能に接続され、前記電子装置は、前記第２の表示モジュールと、前記第３の表示モジュールと、前記第１の表示モジュールとの重なり合いの度合いを調節することにより、前記第１の表示面と、前記第２の表示面と、前記第３の表示面とによって形成された前記電子装置の表示面の面積を調節可能である、
ことを特徴とする請求項１に記載の電子装置。
【請求項１３】
前記第１の表示モジュールと前記第３の表示モジュールとは、スライド溝とスライドレールとの結合スライド方式によって接続され、
前記第２の表示モジュールと前記第３の表示モジュールとは、スライド溝とスライドレールとの結合スライド方式によって接続される、
ことを特徴とする請求項１２に記載の電子装置。
【発明の詳細な説明】
【技術分野】
【０００１】
本発明は端末の分野に関し、特に電子装置に関する。
【背景技術】
【０００２】
関連技術において、電子装置は、固定サイズのディスプレイスクリーンを含み、要望に応じてディスプレイスクリーンのサイズを調節することは、困難である。
【発明の概要】
【発明が解決しようとする課題】
【０００３】
本発明は、従来技術に存在する技術の問題の少なくとも１つを解決することを目的とする。そのため、本発明は電子装置を提供する。
【課題を解決するための手段】
【０００４】
本発明の実施形態に係る電子装置は、第１表示面を含む第１の表示モジュールと、第２表示面を含む第２の表示モジュールとを含み、前記第１の表示面及び前記第２の表示面は、前記電子装置の同一側に向かっており、前記第２の表示モジュールは、前記第１の表示モジュールに積み重ねられ、且つスライド可能に接続され、前記電子装置は、前記第２の表示モジュールと前記第１の表示モジュールとの積み重なりの度合いを調節することにより、前記第１の表示面と前記第２の表示面とによって形成された前記電子装置の表示面の面積を調節する。
【０００５】
本発明の実施形態の電子装置において、第１の表示モジュールスライドが第２の表示モジュールに積み重ねられ、且つスライド可能に接続され、第１の表示モジュールと第２の表示モジュールとの重なり合いの度合いを調節することにより、電子装置の表示面の面積を調節することができるため、電子装置の表示面積のサイズは調節可能であり、これにより、具体的な要望に応じて電子装置の表示面積のサイズを調節することができ、異なる情報表示の要望が満たされ、ユーザの体験が向上する。
【０００６】
一実施形態において、前記第１の表示モジュールは、スライド溝を含み、前記第２の表示モジュールは、スライドレールを含み、前記スライドレールは、前記スライド溝内にスライド可能に配置されて前記重なり合いの度合いを調節する。
【０００７】
一実施形態において、前記第１の表示モジュールは、第１のカバーボディを含み、前記第１の表示面は、前記第１のカバーボディに設けられ、前記スライド溝は、前記第１のカバーボディの底面の両側に設けられ、前記第１のカバーボディの底面は、前記第１の表示面と反対側にあり、前記第２の表示モジュールは、第２のカバーボディを含み、前記第２の表示面は、前記第２のカバーボディの頂面に設けられ、前記スライドレールは、前記第２のカバーボディの頂面の両側に設けられ、前記スライドレールは、前記第２の表示面と間隔をあけて設けられる。
【０００８】
一実施形態において、前記第１の表示モジュールは、第１のディスプレイスクリーンを含み、前記第１のカバーボディの頂面に第１の凹溝が設けられ、前記第１のディスプレイスクリーンは、前記第１の凹溝に収納され、前記第１のディスプレイスクリーンは、前記第１の表示面を含み、前記第２の表示モジュールは、第２のディスプレイスクリーンを含み、前記第２のカバーボディの頂面に第２の凹溝が設けられ、前記第２のディスプレイスクリーンが第２の凹溝に収納され、前記第２のディスプレイスクリーンは、前記第２の表示面を含む。
【０００９】
一実施形態において、前記電子装置は、前記第１の表示モジュールと前記第２の表示モジュールとに電気的に接続されるフレキシブル回路基板を含む。
【００１０】
一実施形態において、前記第２のカバーボディには取り付け領域が形成され、前記取り付け領域は、前記第２の凹溝の一側に設けられ、前記スライドレールは、前記取り付け領域に設けられる。
【００１１】
一実施形態において、前記第１の表示モジュールは、フレキシブル表示モジュールであり、且つ円弧湾曲状となっており、前記第２の表示モジュールは、フレキシブル表示モジュールであり、且つ円弧湾曲状となっており、前記第１の表示モジュールの湾曲方向は、前記第２の表示モジュールの湾曲方向と同じである。
【００１２】
一実施形態において、前記第１の表示モジュールの湾曲曲率は、前記第２の表示モジュールの湾曲曲率と同じである。
【００１３】
一実施形態において、前記第２の表示モジュールは、重なり合いの度合いを調節するように、前記第１の表示モジュールに対して第１の位置と第２の位置との間でスライド可能であり、前記第２の表示モジュールが前記第１の位置にある時の、前記第１の表示面と前記第２の表示面とによって形成された電子装置の表示面の面積は、前記第２の表示モジュールが前記第２の位置にある時の、前記第１の表示面と前記第２の表示面とによって形成された前記電子装置の表示面の面積より小さい。
【００１４】
一実施形態において、前記第１の表示面の表示面積は、前記第２の表示面の表示面積より大きい。
【００１５】
一実施形態において、前記電子装置は、前記第２の表示モジュールと前記第１の表示モジュールとの重なり合いの度合いを検出するためのセンサと、前記重なり合いの度合いに基づいて、前記第２の表示面と前記第１の表示面とによって形成された前記電子装置の表示面の表示コンテンツを制御するためのコントローラと、を含む。
【００１６】
一実施形態において、前記電子装置は、第３の表示面を含む第３の表示モジュールを含み、前記第３の表示モジュールは、前記第１の表示モジュールと前記第２の表示モジュールとの間に積み重ねられ、且つスライド可能に接続され、前記電子装置は、前記第２の表示モジュールと、前記第３の表示モジュールと、前記第１の表示モジュールとの重なり合いの度合いを調節することにより、前記第１の表示面と、前記第２の表示面と、前記第３の表示面とによって形成された前記電子装置の表示面の面積を調節可能である。
【００１７】
一実施形態において、前記第１の表示モジュールと前記第３の表示モジュールとは、スライド溝とスライドレールとの結合スライド方式によって接続され、前記第２の表示モジュールと前記第３の表示モジュールとは、スライド溝とスライドレールとの結合スライド方式によって接続される。
【００１８】
本出願の付加的な特徴及び利点は、一部が以下の説明において示され、一部が以下の説明により明らかになり、又は本出願の実践により理解される。
【図面の簡単な説明】
【００１９】
本出願の上記及び／又は付加的な方面と利点は、下記の図面を参照して実施例を説明することにより、明らかになり、理解しやすくなる。
【図１】本発明の実施形態に係る電子装置の概略斜視図である。
【図２】本発明の実施形態に係る電子装置の他の概略斜視図である。
【図３】本発明の実施形態に係る電子装置の部分分解概略図である。
【図４】本発明の実施形態に係る電子装置の他の部分分解概略図である。
【図５】本発明の実施形態に係る電子装置の概略分解図である。
【図６】本発明の実施形態に係る電子装置の他の概略分解図である。
【図７】本発明の実施形態に係る電子装置の第１の表示モジュールの概略分解図である。
【図８】本発明の実施形態に係る電子装置の第２の表示モジュールの概略分解図である。
【図９】本発明の実施形態に係る電子装置の一部のモジュールの概略図である。
【図１０】本発明の実施形態に係る電子装置が第３の表示モジュールを含む場合の一部の概略分解図である。
【図１１】本発明の実施形態に係る電子装置の第３の表示モジュールの概略分解図である。
【図１２】本発明の実施形態に係る電子装置が第３の表示モジュールを含む場合の概略斜視図である。
【図１３】本発明の実施形態に係る電子装置が第３の表示モジュールを含む場合の他の概略斜視図である。
【図１４】本発明の実施形態に係る電子装置が第３の表示モジュールを含む場合の他の概略斜視図である。
【図１５】本発明の実施形態に係る電子装置が第３の表示モジュールを含む場合の他の概略斜視図である。
【発明を実施するための形態】
【００２０】
以下に、本出願の実施例を詳細に説明する。前記実施例の例が図面に示されるが、同一又は類似する符号は、常に同一又は類似する部品、又は、同一又は類似する機能を有する部品を表す。以下に、図面を参照しながら説明される実施例は例示するものであり、本出願を解釈するためだけのものであって、本出願を限定するものであると理解してはいけない。むしろ、本出願の実施例は、添付の特許請求の範囲の趣旨及び範囲に入っている全ての変更、修正及び同等物を含む。
【００２１】
なお、本発明の記載において、「中心」、「縦方向」、「横方向」、「長さ」「幅」、「厚み」、「上」、「下」、「前」、「後」、「左」、「右」、「鉛直」、「水平」、「頂」、「底」、「内」、「外」、「時計回り」、「反時計回り」という用語が示した方位又は位置関係は、図面に示された方位又は位置関係に基づいたものであり、本発明の実施例を容易に説明し、説明を簡潔にするためのものに過ぎず、指定された装置または部品が特定の方位にあり、特定の方位において構造され操作されると指示または暗示するものではないので、本発明を限定するものと理解してはいけない。また、「第１」、「第２」の用語は説明するためのものであり、相対的な重要性を指示または暗示するか、或いは示された技術的特徴の数を黙示的に指示すると理解してはいけない。そこで、「第１」、「第２」によって限定されている特徴は一つまたはさらに多くの当該特徴を含むことを明示または暗示するものである。本発明の説明において、明確且つ具体的な限定がない限り、「複数」とは、２つ以上を意味する。
【００２２】
なお、本発明の説明において、明確な規定及び限定がない限り、「取り付ける」、「互いに接続する」、「接続する」の用語の意味は広く理解されるべきである。例えば、固定接続や、着脱可能な接続や、あるいは一体的な接続でも可能である。機械的な接続や、電気的な接続や、あるいは互いに通信することも可能である。直接的に接続することや、中間媒体を介して間接的に接続することや、２つの部品の内部が連通することも可能である。当業者であれば、具体的な場合に応じて上記用語の本発明における具体的な意味を理解することができる。
【００２３】
図１〜図９を参照すると、本発明の実施形態に係る電子装置１００は、第１の表示モジュール１０と第２の表示モジュール２０とを含む。第１の表示モジュール１０は、第１の表示面１１を含む。第２の表示モジュール２０は、第２の表示面２１を含む。第１の表示面１１及び第２の表示面２１は、電子装置１００の同一側に向かっている。第２の表示モジュール２０は、第１の表示モジュール１０に積み重ねられ、且つスライド可能に接続される。電子装置１００は、第２の表示モジュール２０と第１の表示モジュール１０との重なり合いの度合いを調節することにより、第１の表示面１１と第２の表示面２１とによって形成された電子装置１００の表示面１１１の面積を調節する。
【００２４】
本発明の実施形態に係る電子装置１００において、第１の表示モジュール１０が第２の表示モジュール２０に積み重ねられ、且つスライド可能に接続され、第１の表示モジュール１０と第２の表示モジュール２０との重なり合いの度合いを調節することにより、電子装置１００の表示面の面積を調節することができるため、電子装置１００の表示面積のサイズを調節することができ、これにより、具体的な要望に応じて電子装置１００の表示面積のサイズを調節することができ、異なる情報表示の要望が満たされ、ユーザの体験が向上する。
【００２５】
一部の例において、第２の表示モジュール２０は、第１の表示モジュール１０に対してスライド可能であり、また、第２の表示モジュール２０が第１の表示モジュール１０に対するスライドの過程において、２つの表示モジュールの重なり合いの度合いが、２つの表示モジュールの相対スライドに伴って変化することにより、電子装置１００の表示面１１１の面積が調節される。
【００２６】
図１に示す電子装置１００において、第１の表示モジュール１０と第２の表示モジュール２０との重なり合いの度合いが最も大きく、第１の表示モジュール１０が第２の表示面２１を完全に覆っており、この場合、第１の表示面１１と第２の表示面２１とによって形成された電子装置１００の表示面１１１を第１の表示面１１として理解してもよい。図２に示す電子装置１００において、第１の表示モジュール１０と第２の表示モジュール２０との重なり合いの度合いが最も小さく、第１の表示モジュール１０は、第２の表示面２１を完全に露出させており、この場合、第１の表示面１１と第２の表示面２１とによって形成された電子装置１００の表示面１１１は、第１の表示面１１に第２の表示面２１を加えたものとなる。
【００２７】
なお、図１に示す電子装置１００から図２に示す電子装置１００へ切り替える過程において、第１の表示モジュール１０から露出された第２の表示面２１の面積が次第に大きくなり、第１の表示面１１と第２の表示面２１とによって形成された電子装置１００の表示面１１１は、第１の表示面１１に第１の表示モジュール１０から露出された第２の表示面２１の部分を加えたものとなる。
【００２８】
一実施形態において、第１の表示面１１と第２の表示面２１との幅が等しい。
このように、第１の表示面１１と第２の表示面２１とによって形成された電子装置１００の表示面の幅のサイズが比較的一定であり、使用の要望を満たし、視聴の体験が快適となる。
【００２９】
一実施形態において、第１の表示モジュール１０は、スライド溝１２を含む。第２の表示モジュール２０は、スライドレール２２を含む。スライドレール２２は、スライド溝１２内にスライド可能に配置されて、重なり合いの度合いを調節する。
このようにして、２つの表示モジュールの重なり合いの度合いの調節は、スライドレール２２とスライド溝１２とのスライド結合方式によって実現される。スライドレール２２とスライド溝１２との結合方式が設置簡単で、汎用性があるので、操作が簡素化になる。
【００３０】
一実施形態において、第１の表示モジュール１０は、第１のカバーボディ１３を含む。第１の表示面１１は、第１のカバーボディ１３に設けられる。スライド溝１２は、第１のカバーボディ１３の第１の底面１３１の両側に設けられる。第１のカバーボディ１３の第１の底面１３１は、第１の表示面１１と反対側にある。第２の表示モジュール２０は、第２のカバーボディ２３を含む。第２の表示面２１は、第２のカバーボディ２３の頂面に設けられる。スライドレール２２は、第２のカバーボディ２３の頂面の両側に設けられる。スライドレール２２は、第２の表示面２１と間隔をあけて設けられる。
【００３１】
このようにして、第１のカバーボディ１３は、第１の表示モジュール１０を支持、及び保護する役割を果たすことができると同時に、スライド溝１２が第１のカバーボディ１３の第１の底面１３１の両側の位置に設けられるため、占有する設置スペースが比較的小さく、また、両側にスライド溝１２が設けられる方式により、スライドレール２２がスライド溝１２に沿ってスライドする安定性を向上させる。また、第２のカバーボディ２３は、第２の表示モジュール２０を支持及び保護する役割を果たし、第２のカバーボディ２３の頂面にスライドレール２２と第２の表示面２１が間隔をあけて設けられるため、コンパクトな構造となり、互いに影響もしない。
【００３２】
一実施形態において、第１の表示モジュール１０は、第１のディスプレイスクリーン１４を含む。第１のカバーボディ１３の頂面に第１の凹溝１３ａが設けられる。第１のディスプレイスクリーン１４は、第１の凹溝１３ａに収納される。第１のディスプレイスクリーン１４は、第１の表示面１１を含む。第２の表示モジュール２０は、第２のディスプレイスクリーン２４を含む。第２のカバーボディ２３の頂面に第２の凹溝２３ａが設けられる。第２のディスプレイスクリーン２４が第２の凹溝２３ａに収納される。第２のディスプレイスクリーン２４は、第２の表示面２１を含む。
このようにして、凹溝にディスプレイスクリーンが収納される方式により、電子装置１００の厚みが小さくなり、電子装置１００の小型化に有利である。
【００３３】
本発明の実施形態において、第１のカバーボディ１３は、第１の底板１３２と第１のアウトカバー１３３とを含む。第１の底板１３２は、第１のカバーボディ１３の第１の底面１３１を含み、即ち、スライド溝１２は、第１の底板１３２に設けられる。第１のアウトカバー１３３は、第１のカバーボディ１３の頂面を含み、即ち、第１の凹溝１３ａは、第１のアウトカバー１３３に設けられる。このようにして、第１の表示モジュール１０の組み立てが容易になる。
【００３４】
第１の底板１３２と第１のアウトカバー１３３とが接続され第１の収納スペース１３ｂが形成され、回路基板や電池などの第１の表示モジュール１０の関連電気部品は、第１の収納スペース１３ｂに収納することができる。このようにして、収納スペースの設置は、第１のカバーボディ１３の設置可能なスペースを大きくするとともに、電気部品の露出によって使用機能に影響を与えることを防止することもできる。
【００３５】
関連電気部品の具体的な構造および相互間の接続方法は、ここでは、詳しく説明しなく、詳細は、従来技術を参照することができる。
【００３６】
例えば、一例において、第１の表示モジュール１０の関連電気部品は、第１のディスプレイスクリーン１４に電気的に接続されるプリント基板１５を含む。
【００３７】
第２のカバーボディ２３は、第２の底板２３１と第２のアウトカバー２３２とを含む。第２のアウトカバー２３２は、第２のカバーボディ２３の頂面を含み、即ち、第２の凹溝２３ａは、第２のアウトカバー２３２に設けられる。第２の凹溝２３ａと第１の凹溝１３ａとは、略同一の形状である。
【００３８】
第２の底板２３１と第２のアウトカバー２３２とが接続され第２の収納スペース２３ｂが形成される。第２の表示モジュール２０の関連電気部品、例えば、回路基板や電池などの電気部品は、第２の収納スペース２３ｂに収納することができる。
【００３９】
例えば、一例において、第２の表示モジュール２０の関連電気部品は、第１の電池２５、例えば、リチウム電池を含む。このようにして、第１の表示モジュール１０及び第２の表示モジュール２０は、いずれも第１の電池２５によって給電することができ、電子装置１００の持ち運びが便利になり、実用性が向上する。
【００４０】
一実施形態において、第１のディスプレイスクリーン１４及び第２のディスプレイスクリーン２４は、フレキシブルディスプレイスクリーンであり、例えば、有機発光ダイオード（ＯＬＥＤ）ディスプレイスクリーンである。このようにして、第１のディスプレイスクリーン１４及び第２のディスプレイスクリーンの機械的特性及び耐屈曲性が良好となる。
【００４１】
一実施形態において、電子装置１００は、フレキシブル回路基板１６を含む。フレキシブル回路基板１６は、第１の表示モジュール１０と第２の表示モジュール２０とに電気的に接続される。
このようにして、２つの表示モジュールは、フレキシブル回路基板１６を介して信号の伝送を実現することができ、異なる表示モジュールによって表示されたコンテンツを容易に統合することができると同時に、フレキシブル回路基板１６は、折り畳み可能である。このようにして、２つの表示モジュールが相対スライドする際に、フレキシブル回路基板１６は、破損しにくく、柔軟性が高い。
【００４２】
本発明の実施形態において、フレキシブル回路基板１６は、一端が第１の収納スペース１３ｂ内に延びて第１の表示モジュール１０の電気部品に接続され、他端が第１の収納スペース１３ｂから延出して第２の収納スペース２３ｂ内に延びて（図５に示すように）第２の表示モジュール２０の電気部品に接続される。
フレキシブル回路基板１６は、第１の表示モジュール１０と第２の表示モジュール２０との間に位置する。
【００４３】
例えば、一例において、図６に示すように、第１の表示モジュール１０が第２の表示モジュール２０を完全に覆っている時に、フレキシブル回路基板１６は、完全に展開され、２つの表示モジュールの間に位置する。図７に示すように、２つの表示モジュールが相対スライドして完全に展開された状態にある時に、フレキシブル回路基板１６は、最大な折り畳み状となり、第２の表示面２１の外に位置する。このように、フレキシブル回路基板１６は、第２の表示面２１の使用に影響しない。
【００４４】
なお、２つの表示モジュールがフレキシブル回路基板１６を介して信号を転送する具体的な方式は、ここでは、詳しく説明しなく、詳細は、従来技術を参照することができる。
【００４５】
一実施形態において、第２のカバーボディ２３に取り付け領域２３３が形成される。取り付け領域２３３は、第２の凹溝２３ａの一側に設けられる。スライドレール２２は、取り付け領域２３３に設けられる。
このようにして、第２のカバーボディ２３の設置可能なスペースが活用され、第２の表示モジュール２０は、コンパクトな構造となり、第２の表示モジュール２０の小型化設計に有利である。
【００４６】
一実施形態において、第２のカバーボディ２３の頂面の両側の位置に取り付け溝２３４が設けられる。スライドレール２２は、取り付け溝２３４内に部分的に固定される。このようにして、スライドレール２２の位置が固定されるようになり、スライドレール２２がスライド溝１２に沿ってスライドする安定性を確保することができる。
【００４７】
具体的には、取り付け溝２３４は、取り付け領域２３３内に位置し、スライドレール２２は、一端が取り付け溝２３４内に固定され、他端がスライド溝１２内に取り付けられ、スライドレール２２の長さがスライド溝１２の長さより短い。スライドレール２２は、スライド溝１２の長手方向に沿ってスライドすることができる。
【００４８】
一実施形態において、第１の表示モジュール１０は、フレキシブル表示モジュールであり、且つ円弧湾曲状となっている。第２の表示モジュール２０は、フレキシブル表示モジュールであり、且つ円弧湾曲状となっている。第１の表示モジュール１０の湾曲方向は、第２の表示モジュール２０の湾曲方向と同じである。
このようにして、２つの表示モジュールは、いずれも湾曲可能であり且つ良好な可撓性及び耐屈曲性を有することにより、電子装置１００の耐久性を向上させるとともに、２つの表示モジュールの一致した湾曲方向により、２つの表示面の向きが一致することを確保することができ、ユーザの体験が向上する。
【００４９】
本発明の実施形態において、フレキシブル表示モジュールとは、フレキシブルディスプレイスクリーンを含む表示モジュールを指してもよい。
【００５０】
湾曲する第１の表示モジュール１０と第２の表示モジュール２０とが展開された時に、環状構造の電子装置１００を形成することができる。このようにして、環状構造の電子装置１００をリストバンドのようなスマートウェアラブル装置として使用することができる。
【００５１】
なお、他の実施形態において、第１の表示モジュール１０及び第２の表示モジュール２０を、いずれも平板状とすることができるため、２つの表示モジュールは、本発明の実施形態の形状に限定されない。
【００５２】
一実施形態において、第１の表示モジュール１０の湾曲曲率は、第２の表示モジュール２０の湾曲曲率と同じである。
このようにして、２つの表示モジュールが相対スライドする過程においてスムーズになるため、電子装置１００の操作容易性が確保される。
【００５３】
一実施形態において、第２の表示モジュール２０は、第１の表示モジュール１０に対して第１の位置と第２の位置との間のスライドにより重なり合いの度合いを調節することができる。第２の表示モジュール２０が前記第１の位置にある時の、第１の表示面１１と第２の表示面２１とによって形成された電子装置１００の表示面１１１の面積は、第２の表示モジュール２０が前記第２の位置にある時の、第１の表示面１１と第２の表示面２１とによって形成された電子装置１００の表示面１１１の面積より小さい。
【００５４】
このようにして、第２の表示モジュール２０が第１の表示モジュール１０に対して所定の位置の間でスライドすることにより、重なり合いの度合いの調節が実現され、重なり合いの度合いの調節範囲の設定可能性が確保される。即ち、具体的な適用場合に応じて２つの位置の間の距離を設定することにより、重なり合いの度合いの調節範囲を限定することができるとともに、電子装置１００の表示面１１１の面積が第２の表示モジュール２０のスライド位置の変化に伴って変化することができ、このような調節方式は簡単で実現しやすい。
【００５５】
具体的には、本発明の実施形態において、第１の位置が、第１の表示モジュール１０が第２の表示面２１を完全に覆っている位置であってもよい。図１に示すように、第２の表示モジュール２０が第１の位置にある時に、第１の表示面１１と第２の表示面２１とによって形成された電子装置１００の表示面１１１の面積は、最も小さい。第２の位置が、第１の表示モジュール１０が第２の表示面２１を完全に露出させる位置であってもよい。図２に示すように、第２の表示モジュール２０が第２の位置にある時に、第１の表示面１１と第２の表示面２１とによって形成された電子装置１００の表示面１１１の面積は、最も大きい。
【００５６】
一部の例において、第１の表示モジュール１０は、第２の表示モジュール２０の上方に位置する。第２の表示モジュール２０は、第１の表示モジュール１０に対して第１の位置と第２の位置との間でスライドすることができる。第２の表示モジュール２０と第１の表示モジュール１０との重なり合いの度合いを調節する時に、スライドレール２２がスライド溝１２に沿ってスライドすることにより、第２の表示モジュール２０は、第１の表示モジュール１０に対して第１の位置と第２の位置との間でスライド可能である。
【００５７】
例えば、第１の表示面１１は、電子装置１００の最外側に位置し、第２の表示面２１は、第１の表示モジュール１０の下方に位置する。２つの表示モジュールが相対スライドする過程において、第１の表示面１１が常に完全に露出しており、即ち、第１の表示面１１の表示面積が変わらず、電子装置１００の表示面１１１の面積は、第１の表示モジュール１０から露出された第２の表示面２１の面積が大きくなるにつれて大きくなる。
【００５８】
第２の表示モジュール２０が第１の位置にある時に、第１の表示モジュール１０は、第２の表示モジュール２０を完全に覆っており、この場合、２つの表示モジュールの重なり合いの度合いが最も大きく、即ち、電子装置１００は、収束状態にあり、電子装置１００の表示面の面積は、第１の表示面１１の面積と等しい。第２の表示モジュール２０が第２の位置にある時に、２つの表示モジュールの重なり合いの度合いが最も小さく、即ち、電子装置１００は、展開状態にあり、電子装置１００の表示面の面積は、第１の表示面１１と第２の表示面２１との面積の合計となる。
【００５９】
このようにして、具体的な適用場合に応じて異なる使用状態を選択することができる。例えば、要表示の情報量が少ない場合、電子装置１００が収束状態にあるようにすることができ、即ち、単一のスクリーンで情報を表示することができ（図１に示すように）、節電につながる。要表示の情報量が多い場合、電子装置１００を展開状態にすることができ、即ち、２画面で情報を表示することができ（図２に示す）、表示の効果が確保される。
【００６０】
なお、「上方」、「下方」、「最外側」は、電子装置１００の正常使用状態での位置状態、例えば、図１に示す電子装置１００の位置状態である。
【００６１】
一実施形態において、電子装置１００は、位置制限部材（図示せず）を含む。位置制限部材は、第１の表示モジュール１０に対する第２の表示モジュール２０のスライドストロークを制限するためのものである。
このようにして、位置制限部材の設置によって、２つの表示モジュールの相対スライドの距離が制御可能となり、２つの表示モジュールの重なり合いの度合い値の範囲が調節可能となり、電子装置１００の設置可能なスペースが大きくなると同時に、位置制限部材は、２つの表示モジュールの相対スライドの誤操作率を低減することができ、２つの表示モジュールのスライド過程に不適切な操作によって第２の表示モジュール２０が完全に滑り出たこと又はそれによる破損を防止することができる。
【００６２】
具体的には、例えば、位置制限部材は、第１の位置制限部材及び第２の位置制限部材を含んでもよく、第１の位置制限部材及び第２の位置制限部材は、それぞれスライド溝１２の両端に位置し、スライドレール２２は、第１の位置制限部材と第２の位置制限部材とによって限定されたスライド溝１２内でスライドすることにより、第１の表示モジュール１０及び第２の表示モジュール２０がスライド過程に互いに離脱しないことを確保することができる。
【００６３】
一実施形態において、第１の表示面１１の表示面積が第２の表示面２１の表示面積より大きい。
このようにして、第１の表示面１１を電子装置１００の主表示面とすることができ、第２の表示面２１を電子装置１００の補助表示面とすることができる。
【００６４】
例えば、一例において、第１の表示面１１は、最外側に位置し、第２の表示面２１は、第１の表示モジュール１０の下方に位置し、第２の表示モジュール２０は、第２の表示面２１と第２の表示モジュール２０の同一側に設けられた、スライド溝１２に結合されるスライドレール２２のような他の部件を設けるための取り付け領域２３３を含む。このような実際な使用場合において、第１の表示面１１の表示面積が第２の表示面２１の表示面積より大きいことは、電子装置１００の表示面の表示効果を確保することができるだけでなく、表示モジュールの設置可能なスペースをも活用することができる。
【００６５】
一実施形態において、電子装置１００は、第１のセンサ３０とコントローラ４０とを含む。第１のセンサ３０は、第２の表示モジュール２０と第１の表示モジュール１０との重なり合いの度合いを検出するためのものであり、コントローラ４０は、重なり合いの度合いに基づいて、第２の表示面２１と第１の表示面１１とによって形成された電子装置１００の表示面の表示コンテンツを制御するためのものである。
このようにして、第１のセンサ３０とコントローラ４０との併用により電子装置１００の操作精度が向上するとともに、２つの表示モジュールの関連度が強化されて、知能化への要求に適合する。
【００６６】
具体的には、本発明実施形態において、第１のセンサ３０は、距離センサであってもよく、スライド溝１２の側辺にスライド溝１２と連通する窓口１２１（図７参照）が設けられ、第１のセンサ３０が窓口１２１の辺に設けられる。ライドレール１２が窓口１２１の位置までスライドしていない時に、第１のセンサ３０によって検出された距離は、第１のセンサ３０とスライド溝１２の他方の側辺との間の第１の距離である。スライドレール１２が窓口１２１位置までスライドした時に、スライドレール１２は、第１のセンサ３０の前で第１のセンサ３０を遮り、第１のセンサ３０によって検出された距離は、第１のセンサ３０とスライドレール２２との間の第２の距離であり、第２の距離が第１の距離より小さい。従って、コントローラ４０は、第１のセンサによってフィードバックされた距離情報に基づいて、第１の表示面１１と第２の表示面２２とによって形成された電子装置１００の表示面１１１の表示コンテンツを制御することができる。
【００６７】
一例において、窓口１２１の位置を、第２の表示モジュール２０と第１の表示モジュール１０との重なり合いの度合いが最も小さい時の、スライド溝１２内にスライドレール２２に対応するスライド溝１２の位置とすることができる。この場合、電子装置１００の表示面１１１の面積が最も大きく、第１の表示面１１と第２の表示面２１とによって形成された電子装置１００の表示面１１１は、電子装置１００の単一の表示面として見なすことができ、第１のセンサ３０は、第２の距離情報をコントローラ４０にフィードバックし、コントローラ４０は、第２の距離情報に基づいて、第１のコンテンツを表示するように電子装置１００の表示面１１１を制御し、第１のコンテンツは、普通の電子装置の単一のディスプレイスクリーンによって表示される全体的なコンテンツとして理解することができる。例えば、電子装置１００のホームページ、アプリケーションプログラムの表示インターフェースなどである。
【００６８】
第１のセンサ３０が第１の距離情報をコントローラ４０にフィードバックし、コントローラ４０が、第１の距離情報に基づいて、第２のコンテンツを表示するように第１の表示面１１を制御するとともに、オフになるように第２の表示面２１を制御する場合、第２のコンテンツが第１のコンテンツと同一のコンテンツである可能性があり、表示面積が異なるため、表示効果が異なり、ユーザの体験も異なる。
【００６９】
他の一例において、第１のセンサ３０が第２の距離情報をコントローラ４０にフィードバックし、コントローラ４０が、第２の距離情報に基づいて、第３のコンテンツを表示するように電子装置１００の表示面１１１を制御する場合、第１の表示面１１を電子装置１００の主表示面とすることができ、第２の表示面２１を電子装置１００の補助表示面とすることができ、即ち、映像情報のような第３のコンテンツの主なコンテンツを第１の表示面１１に表示することができ、提示情報などのような第３のコンテンツの補助的なコンテンツを第２の表示面２１に表示することができ、そうすると、表示方式が多様化になる。
【００７０】
図１０〜図１１を参照し、一実施形態において、電子装置１００ａは、第３の表示モジュール５０ａを含み、第３の表示モジュール５０ａは、第３の表示面５１ａを含む。第３の表示モジュール５０ａは、第１の表示モジュール１０ａと第２の表示モジュール２０ａとの間に積み重ねられ、且つスライド可能に接続され、電子装置１００は、第２の表示モジュール２０ａと、第３の表示モジュール５０ａ及び第１の表示モジュール１０ａとの重なり合いの度合いを調節することにより、第１の表示面１１と、第２の表示面２１と、第３の表示面５１ａとによって形成された電子装置１００の表示面の面積を調節することができる。
【００７１】
このようにして、第３の表示面５１ａは、第１の表示面１１ａ及び第２の表示面２１ａとともに、電子装置１００ａの表示面を形成するため、電子装置１００ａの表示面の面積を増加させることができるとともに、電子装置１００ａの表示面の表示方式をさらに多様化にし、ユーザの体験を向上させることができる。
【００７２】
一実施形態において、第１の表示モジュール１０ａと第３の表示モジュール５０ａとは、スライド溝とスライドレールとの結合スライド方式によって接続され、第２の表示モジュール２０ａと第３の表示モジュール５０ａとは、スライド溝とスライドレールとの結合スライド方式によって接続される。
【００７３】
具体的には、第３の表示面５１ａと、第１の表示面１１ａと、第２の表示面２１ａとは、いずれも電子装置１００ａの同一側に向かっている。第３の表示モジュール５０ａは、第３のカバーボディ５２ａと第３のディスプレイスクリーン５３ａとを含む。第３のカバーボディ５２ａの頂面に第３の凹溝（図示せず、第２の凹溝２３ａを参照することができる）が設けられる。第３のディスプレイスクリーン５３ａは、第３の凹溝に設けられる。
【００７４】
第３のディスプレイスクリーン５３ａは、第３の表示面５１ａを含む。第３のカバーボディ５２ａにスライド溝１２ａ及びスライドレール２２ａが設けられ、スライド溝１２ａ及びスライドレール２２ａは、第３のカバーボディ５２ａの、互いに相対する２つの面にそれぞれ設けられる。第３の表示モジュール５０ａは、スライドレール２２ａと第１の表示モジュール１０ａのスライド溝との結合により、第１の表示モジュール１０ａに積み重ねられ、且つスライド可能に接続されることが実現される。第３の表示モジュール５０ａは、スライド溝１２ａと第２の表示モジュール２０ａのスライドレールとの結合により、第２の表示モジュール２０ａに積み重ねられ、且つスライド可能に接続されることが実現され、即ち、本発明の実施形態において、第３の表示モジュール５０ａと、第１の表示モジュール１０ａ及び第２の表示モジュール２０ａとの接続は、いずれもスライド溝１２ａとスライドレール２２ａとの結合によって実現される。第３の表示モジュール５０ａと、第１の表示モジュール１０ａ及び第２の表示モジュール２０ａとの具体な接続方式について、ここでは詳しく説明しなく、詳細は、前述した第１の表示モジュール１０と第２の表示モジュール２０との接続方式を参照することができる。
【００７５】
電子装置１００は、第３の表示モジュール５０ａと第２の表示モジュール２０ａとの重なり合いの度合い、又は第３の表示モジュール５０ａと第１の表示モジュール１０ａとの重なり合いの度合いを調節することにより、第３の表示面５１ａと第１の表示面１１ａと第２の表示面２１ａとによって形成された電子装置１００ａの表示面の面積を調節することができ、これにより、３つの画面表示などの異なる表示効果の目的が達成される。具体的な調節方式について、ここでは、詳しく説明しなく、詳細は、前述した第１の表示モジュール１０と第２の表示モジュール２０との間の調節方式を参照することができる。
【００７６】
一実施形態において、第３のディスプレイスクリーン５３ａは、フレキシブルディスプレイスクリーンであり、例えば、有機発光ダイオード（ＯＬＥＤ）ディスプレイスクリーンである。
【００７７】
一実施形態において、第３のカバーボディ５２ａ内に第３の収納スペース５２１ａが形成される。第３の表示モジュール５０ａの関連電気部品、例えば、回路基板、電池などの電気部品が第３の収納スペース５２１ａに収納することができる。このようにして、収納スペースの設置は、第３のカバーボディ５２ａの設置可能なスペースを大きくすると同時に、電気部品の露出によって使用機能に影響を与えることを防止することができる。
【００７８】
一部の例において、関連電気部品は、第２の電池５４ａ、例えば、リチウム電池を含む。このようにして、３つの表示モジュールは、いずれも第２の電池５４ａによって給電することができ、電子装置１００の持ち運びが便利になり、実用性が向上する。
【００７９】
なお、第１の電池２５は、第２の電池５４と同じ電池、例えば、同じリチウム電池を用いることができる。
【００８０】
一実施形態において、第３のカバーボディ５２ａは、第３の底板５２２ａと第３のアウトカバー５２３ａとを含む。第３のアウトカバー５２３ａは、第３のカバーボディ５２ａの頂面を含み、即ち、第３のディスプレイスクリーン５３ａは、第３のアウトカバー５２３ａに設けられる。第３の底板５２２ａと第３のアウトカバー５２３ａとが接続され、第３の収納スペース５２１ａが形成される。
【００８１】
一実施形態において、第３の表示モジュール５０ａは、フレキシブル回路基板１６ａを含む。フレキシブル回路基板１６ａは、第１の表示モジュール１０ａ、第２の表示モジュール２０ａ、及び第３の表示モジュール５０ａに電気的に接続される。このようにして、３つの表示モジュールは、フレキシブル回路基板１６ａを介して信号の伝送を実現し、異なる表示モジュールによって表示されたコンテンツを容易に統合することができると同時に、フレキシブル回路基板１６ａは、折り畳み可能である。このようにして、３つの表示モジュールが相対スライドする際に、フレキシブル回路基板１６は、破損しにくく、柔軟性が高くなる。
【００８２】
なお、第３の表示モジュール５０ａと、第１の表示モジュール１０ａ及び第２の表示モジュール２０ａとは、同様に第１のセンサ３０とコントローラ４０との結合の方式により、電子装置１００ａの表示面の表示コンテンツの制御を実現することができ、ここでは、詳しく説明しなく、詳細は、前述した対応する実施形態を参照することができる。
【００８３】
図１２〜図１５を参照し、一部の例において、電子装置１００ｂは、１つの第１の表示モジュール１０ｂと、１つの第２の表示モジュール２０ｂと、３つの第３の表示モジュール５０ｂと、を含む。第３の表示モジュール５０ｂは、第１の表示モジュール１０ｂと第２の表示モジュール２０ｂとの間に積み重ねられ、且つスライド可能に接続される。３つの第３の表示モジュール５０ｂは、積み重ねられ、且つスライド可能に接続される。
このようにして、電子装置１００ｂの表示面の面積が増加し、電子装置１００ｂの使用が多様化になる。
【００８４】
例えば、一例において、電子装置１００ｂの５つの表示モジュールは、いずれもフレキシブル表示モジュールである。５つの表示モジュールが完全な収束状態にある時に、電子装置１００ｂは、単一のスクリーン表示状態（図１２参照）となり、電子装置１００ｂは、単一のスクリーン表示機能を有する汎用型電子機器、例えば、携帯電話として使用することができる。５つの表示モジュールが完全に展開状態にある時に、電子装置１００ｂは、環状（図１５参照）となり、即ち、５つの表示モジュールによって環状構造が形成され、そうすると、電子装置１００ｂをウェアラブル装置として手につけることができる。この場合、さらに電子装置１００ｂによって関連情報の検出が実現される。
【００８５】
例えば、一例において、電子装置１００ｂは、第２のセンサ（図示せず）、例えば、圧力センサを含む。電子装置１００ｂは、第２のセンサにより心拍数や血圧などのユーザに関連する健康データを検出及び採取することができ、電子装置電子装置１００ｂの表示面を介して対応する検出結果を表示してユーザを提示することができる。
【００８６】
なお、電子装置１００ｂによって関連情報の検出を実現する具体的な方式について、ここで詳しく説明しないが、詳細は、関連技術を参照することができる。さらに、ウェアラブル装置によってヒューマンマシンインタラクションが実現される他の方式は、同様に本発明の実施形態に係る電子装置１００ｂに適用可能である。
【００８７】
同時に、電子装置１００ｂは、５つの表示モジュール間の相対位置関係を調節することにより、他の表示状態の実現、例えば、２画面表示（図１３参照）、３画面表示（図１４参照）、ＵＩアニメーションなどを実現でき、即ち、具体的な適用場合に応じて複数の使用機能を実現することができる。
【００８８】
本発明において、明確な規定及び限定がない限り、第１特徴が第２特徴の「上」又は「下」にあることは、第１特徴と第２特徴とが直接的に接触することを含んでも良いし、第１特徴と第２特徴とが直接に接触することではなく、それらの間の他の特徴を介して接触することを含んでもよい。また、第１特徴が第２特徴の「上」、「上方」又は「上面」にあることは、第１特徴が第２特徴の真上及び斜め上にあることを含むか、或いは、単に第１特徴の水平高さが第２特徴より高いことだけを表す。第１特徴が第２特徴の「下」、「下方」又は「下面」にあることは、第１特徴が第２特徴の真下及び斜め下にあることを含むか、或いは、単に第１特徴の水平高さが第２特徴より低いことだけを表す。
【００８９】
本発明の異なる構造を実現するために、以下の内容において、多くの異なる実施形態または例が提供された。本発明の説明を簡潔にするため、以下に特定の例の部材及び配置について説明する。勿論、これらは例示するものに過ぎず、本発明を限定する意図がない。また、本発明は、異なる例において参照数字及び／または参照アルファベットを重複することができる。このような重複は、簡潔及び明瞭にするためのものであり、それ自体は、検討する各種の実施例及び／または配置の間の関係を示すものではない。また、本発明は、さまざまな特定のステップ及び材料の例を挙げているが、当業者であれば、他のステップの適用及び／または他の材料の使用も考えることが可能である。
【００９０】
本発明の説明において、「一実施形態」、「一部の実施形態」、「概略的な実施形態」、「例」、「具体的な例」、或いは「一部の例」などの用語を参照した説明とは、該実施形態或いは例に合わせて説明された具体的な特性、構成、材料或いは特徴が、本発明の少なくとも一実施形態或いは例に含まれることである。本明細書において、上記用語に対する例示する説明は、必ずしも同一実施形態或いは例を示すことではない。又、説明された具体的な特性、構成、材料或いは特徴は、いずれか一つ或いは複数の実施形態又は例示において適切に結合することができる。
【００９１】
本発明の実施形態を示して説明したが、当業者は、本発明の原理及び主旨から逸脱しない場合、これらの実施例に対して各種の変化、修正、置き換え及び変形を行うことができる。本発明の範囲は、特許請求の範囲及びその同等物により限定される。
【図１】
2019530018.tif 000003
【図２】
2019530018.tif 000004
【図３】
2019530018.tif 000005
【図４】
2019530018.tif 000006
【図５】
2019530018.tif 000007
【図６】
2019530018.tif 000008
【図７】
2019530018.tif 000009
【図８】
2019530018.tif 000010
【図９】
2019530018.tif 000011
【図１０】
2019530018.tif 000012
【図１１】
2019530018.tif 000013
【図１２】
2019530018.tif 000014
【図１３】
2019530018.tif 000015
【図１４】
2019530018.tif 000016
【図１５】
2019530018.tif 000017
【国際調査報告】
2019530018.tif 000018
2019530018.tif 000019
2019530018.tif 000020
2019530018.tif 000021